(57)【特許請求の範囲】
【請求項１】
外装ケースと、該外装ケース内に収納された生ごみ等の有機物を処理するための処理槽と、該処理槽の一側壁に設けられた処理物を排出するための排出口と、該排出口から排出される処理物を前記外装ケースの外側に排出するための排出シュートとを備え、前記排出シュートは、一端が前記排出口に連通する基部と、一端が外装ケース外に露出する先端部とに分割され、該先端部は前記外装ケース内に対しスライド式に収納可能に形成されていることを特徴とする有機物処理装置。
【請求項２】
前記排出口を開閉自在に閉塞するシャッタに係止部を設け、シャッタを固定する固定部材に、前記係止部に係合する係合部を設けると共に、該係合部の係止部への係合状態を表示する表示手段を設けたことを特徴とする請求項１記載の有機物処理装置。
【発明の詳細な説明】
【０００１】
【発明の属する技術分野】
本発明は、生ごみ等の有機物を処理する有機物処理装置に係わり、特に前面からの作業性を改善する構造に関する。
【０００２】
【従来の技術】
生ごみ等の有機物を処理する有機物処理装置としては、処理槽内に有機物を分解する微生物担体（例えばおが屑等の木質細片）を収納し、処理槽内を撹拌しながら微生物の活性化温度（例えば約６０℃前後）に維持して有機物を分解処理するものや、微生物を用いないで処理槽内の有機物を撹拌しながらより高温で加熱乾燥させて処理するものなどがある。
【０００３】
図１１〜図１３に、上記微生物により有機物を分解処理する方式の有機物処理装置の例として、例えばコンビニエンスストア等で業務用として用いられる大型のものを示す。なお、図１１は上記従来の有機物処理装置の基本的システム図であり、図１２はこの有機物処理装置の処理槽周りの構成を説明するための側断面図であり、図１３は同じく有機物処理装置の処理槽周りの構成を説明するための平面図である。
【０００４】
図１１に示すように、この有機物処理装置は、一般的に、微生物の作用により有機物を分解させる処理槽１と、処理槽１での分解処理中に発生する排気ガスを脱臭する脱臭器３と、処理槽１内に外気を供給し、処理槽１内の排気ガスを外部に排出するための送風機５とを基本的構成機器としている。
【０００５】
処理槽１は、図１２に示すように、側断面が略Ｕ字形状をなし、左右方向に長い形状をなしている。なお、本明細書においては、図１２における左側を正面とする。また、この場合の正面は、生ごみの投入作業や、装置のメンテナンス作業が行われる場合の装置のサービス側面を意味する。したがって、図１２において、左側を前面、右側を後面、紙面と直角の方向を左右方向とする。
【０００６】
上記形状の処理槽１は、平面形状が左右方向を長手方向とする略長方形の外装ケース６内に収容されている。そして、外装ケース６の上面には、生ごみや微生物担体等を処理槽１内に投入するための投入口６１が形成され、この投入口６１と対応するように処理槽１の上面部に開口部１ａが設けられている。また、この投入口６１には、ヒンジ６２等により開閉可能に構成された投入蓋６３が設けられている。なお、処理槽１内に投入される微生物担体としては、例えばおが屑等の木質細片が用いられている。
【０００７】
また、外装ケース６の下面側には脚部６４や図示しないキャスターが取り付けられている。
【０００８】
処理槽１内には、図１３に示すように、左右の側壁間に横架された撹拌軸１１に複数の撹拌翼１２が立設された撹拌体１０が備えられている。そして、撹拌軸１１は、両端が処理槽２の側壁に設けられた図示しない軸受によって支持されている。また、撹拌軸１１の一方の軸端がスプロケット（図示せず）及びベルト１３から成る減速伝達機構を介して撹拌用モータ１４に連結されて定期的に正逆回転駆動されると共に、生ごみ投入直後と処理物排出時とに回転駆動されるようになっている。
【０００９】
処理槽１の前面側の側壁には、処理物を排出するための排出口１５（図１２参照）が形成されている。排出口１５は、高さ方向に比し左右方向の寸法が大きい長方形状とされている。また、この排出口１５には排出シャッタ１７が開閉可能に取り付けられている。排出シャッタ１７は、開閉レバー１８を操作することにより上下動させて開閉するように構成されている。また、閉じられた排出シャッタ１７の締め切りを確実にするために、前面から操作可能に固定ネジ（図示せず）が設けられている。
【００１０】
排出シャッタ１７の前面には、排出口１５から排出される処理物を外装ケース６の外部に排出するための排出シュート７が設けられている。この排出シュート７は、左右方向の寸法が大きい断面長方形の通路に形成されている。また、排出シュート７の先端部は、外装ケースの外側に突出している。なお、６６は、排出シュート７の先端部を覆うカバーであって、外装ケース６の前面から突出するように設けられている。
【００１１】
処理槽１内は、中央部に形成された仕切板２０により左右に仕切られ（図１３参照）、正面から見て左槽２１と右槽２２とに区画されており、毎日発生する生ごみを、左槽２１と右槽２２とに交互に投入して、効率的に処理することができるようになっている。なお、前述の投入口６１とその投入蓋６３及び排出シュート７は共通であるが、排出口１５、排出シャッタ１７、開閉レバー１８及び排出シャッタ固定ネジ（図示せず）は、各槽それぞれに同一のものが設けられている。したがって、排出シュート７の断面形状は、左槽２１の排出口１５及び右槽２２の排出口１５の双方に対応し得る断面寸法とされている。
【００１２】
このように構成されていることにより、処理槽１内に投入された生ごみは、処理槽１内で分解処理される。また、処理槽１を構成する左槽２１又は右槽２２内の処理物は、所定量より多くなると、撹拌翼１２を図１２の時計廻り方向に回転駆動させることにより、排出口１５側に掻き上げ、左槽２１の排出口１５又は右槽２２の排出口１５、及び排出シュート７を介して外部に排出される。
【００１３】
脱臭器３は、処理槽１内で生ごみを好気性処理することにより、連続的にかつ大量に発生するアセトアルデヒド、硫化水素、トリメチルアミン、アンモニア等の悪臭を除去するものである。また、この脱臭器３は、処理槽１内から排出される約６０度の排気ガスを２００〜３００度に加熱するヒータ３１と、加熱した排気ガスを脱臭する触媒３２とからなる。なお、触媒３２としては、例えば、白金系触媒をポーラス状の担体に坦持させたものが用いられている。また、この脱臭器３は、配管３３により処理槽１の後方上部に設けられた排気口２５に連通されている。この排気口２５における処理槽１内側の開口寸法は、左槽２１及び右槽２２の双方と連通するように、左右方向の寸法を大きくしている。
【００１４】
この排気口２５には、処理槽１内で舞い上がる微生物担体の粉塵が脱臭器３へ流れるのを防止するための排気ガス用フィルタ２６が設けられている。また、この排気口２５は、処理槽１の上面の開口部１ａから着脱可能とするために、処理槽１上面の開口部１ａ近傍の後面側に配置され、かつ、図１２に図示するＡ方向にスライドさせることにより着脱可能に取り付けられている。
【００１５】
なお、図１２及び図１３には図示されていないが、この脱臭器３は、排気ガスを排出する送風機５とともに処理槽１の後方に配設されている。また、この排気ガス用フィルタ２６は、仕切板２０を跨いで左槽２１及び右槽２２の双方に延びており、一つで左槽２１及び右槽２２に共用されている。
【００１６】
一方、このように排気ガスを排出するためには、処理槽１内に外気を取り入れることが必要であるが、外気導入路２７は、処理槽１の前面上方中央部に設けられ、左槽２１及び右槽２２双方に共用されている。
【００１７】
【発明が解決しようとする課題】
しかしながら、上記従来の有機物処理装置においては、上述のように排出シュート７が外装ケース６から前方に突出していた。このため、この突出部分が、外装ケース６前方でいろいろな作業を行う上で障害物となっていた。また、この突出部分が存在することにより、有機物処理装置の前面から投入口６１までの距離が長くなり、生ごみや微生物担体を投入するときの作業性が悪いという問題があった。
【００１８】
また、処理槽１の排気口２５が処理槽１上面の開口部１ａ近傍の後面側に配置されていたため、排気ガス用フィルタ２６の取り付け位置が有機物処理装置の前面から遠くなり、排気ガス用フィルタ清掃のための作業性が悪いという問題があった。また、投入口の後方側にあるため、生ごみ投入時に排気ガス用フィルタ２６が汚れ易く、排気ガス用フィルタ２７の清掃が頻繁に必要となる点からも排気ガス用フィルタ清掃のための作業性を悪化していた。
【００１９】
このように従来の有機物処理装置においては、運転に伴う日常業務の作業性について改善の余地が残されていた。
【００２０】
本発明は、このような課題を解決するためになされたものであり、運転に伴う日常業務の作業性を改善した有機物処理装置を提供することを目的とするものである。
【００２１】
【課題を解決するための手段】
上記課題を解決するための第１の手段は、外装ケースと、該外装ケース内に収納された生ごみ等の有機物を処理するための処理槽と、該処理槽の一側壁に設納された生ごみ等の有機物を処理するための処理槽と、該処理槽の一側壁に設けられた処理物を排出するための排出口と、該排出口から排出される処理物を前記外装ケースの外側に排出するための排出シュートとを備え、前記排出シュートは、一端が前記排出口に連通する基部と、一端が外装ケース外に露出する先端部とに分割され、該先端部は前記外装ケース内に対しスライド式に収納可能に形成されている。
【００２４】
上記課題を解決するための第１の手段において、前記排出口を開閉自在に閉塞するシャッタに係止部を設け、シャッタを固定する固定部材に、前記係止部に係合する係合部を設けると共に、該係合部の係止部への係合状態を表示する表示手段を設けることが好ましい。
【００２７】
【発明の実施の形態】
本発明の第１の実施の形態について図１乃至図３に基づき説明する。なお、図１は本実施の形態に係る有機物処理装置の概略側断面図であり、排出シュートの先端部を外装ケース内に収納した状態を示し、図２は同じく本実施の形態に係る有機物処理装置の概略側断面図であり、排出シュートの先端部を外装ケースから外部に突出させた状態を示し、図３は、図１における排気用フィルタ部分の拡大図であり、排気用フィルタ着脱時の状態で示している。また、これら図面において、図１１乃至図１３に示した従来の有機物処理装置と同一又は対応する部分には同一の符号を付しその説明を省略する。
【００２８】
本実施の形態の有機物処理装置も、従来例として図１１乃至図１３を用いて説明した有機物処理装置と同様、例えばコンビニエンスストア等において業務用として用いられる大型のものである。また、排出シュート周り、処理槽上面における排気口周り及び外気導入路の取付位置周りを除いては、この従来例と同一である。そこで、以下の説明においてはこれら相違する部分を中心に説明する。
【００２９】
本実施の形態において、排出シュート７０は、一端が排出口１５に接続される基部７１と、一端が外装ケース６の前面側外部に連通される先端部７２とに分割されている。
【００３０】
基部７１は、従来のものと同一の断面形状（すなわち、左右方向に長い長方形であり、その大きさも同一）を備えたものである。ただし、その長さは、従来のものより短く形成されており、その先端が外装ケース６の前面部付近で終了する程度とされている。
【００３１】
先端部７２は、図１におけるＢ方向又は図２におけるＣ方向にスライド可能に形成されており、外装ケース６内に収納させた状態（図１の状態）又は外部に突出させた状態（図２の状態）を選択して維持できるように形成されている。
【００３２】
また、先端部７２は、このようにスライド可能とするために、垂直方向に配置される前板部７３と、逆への字状に折り曲げた底板と、この底板の左右両端に形成されている側板とで断面コの字状の角形溝状に形成したガイド部７４とを有し、これらが一体に構成されている。そして、この側板間に基部７１の端部を挟んで受け入れることができるような寸法、形状とされている。
【００３３】
また、ガイド部７４の両側板の外側には、側方に突出する突出部７５を有し、この突出部７５が外装ケース６側に取り付けられた水平方向のガイドレール７６により前後方向にスライド可能に支持されている。なお、前板部７３の前面には、この先端部７２をスライド式に引き出すときに使用するつまみ７７が取り付けられている。
【００３４】
したがって、処理槽１内の処理物を外部に排出しないときは、先端部７２を外装ケース６内側（図２におけるＣ方向）へ押し込むことにより、図１のように、先端部７２を外装ケース６内に収納することができる。また、処理槽１内の処理物を外部に排出するときは、つまみ７７をつまんで先端部７２を図１におけるＢ方向へ引き出すことにより、図２のように、先端部７２の底板を基部７１に当接させてガイド部７４と基部７１とが連続した状態とし、図２における実線矢印Ｄのように処理物を排出することができる。
【００３５】
次に、本実施の形態において、処理槽１の排気口８１は、処理槽１の開口部１ａ近傍の前面側に、処理槽１内に垂直面で開口するように配置されている。そして、その入口部に、排気ガス吸い込み面が垂直面となるように排気ガス用フィルタ８２が配設されている。
【００３６】
また、排気ガス用フィルタ８２は、図３のように、下端部を回転軸として上下に回転可能に構成されたフィルタ枠８３に保持されて取り付けられており、図３の状態においては排気ガス用フィルタ８２を上方に持ち上げることにより、容易にフィルタ枠８３から取り外しでき、また、排気ガス用フィルタ８２を装着するときは、排気ガス用フィルタ８２を図３の状態にあるフィルタ枠８３の上に載せることにより装着可能に構成されている。なお、図３において、８４はフィルタ枠８３を図１のような状態に保持するためのローラキャッチャーである。
【００３７】
一方、外気導入路２７は、処理槽１の開口部１ａ近傍の後面側中央部に開口するように、処理槽１に対し接続されている。
【００３８】
以上のように構成された本実施の形態によれば、排出シュート７０を、一端が排出口１５に接続される基部７１と、一端が外部に連通される先端部７２とに分割し、この先端部７２を前記外装ケース６内に収納可能に形成しているので、先端部７２を外装ケース６内に収納している限り、作業上の障害となる排出シュート７０の突出を回避することができる。また、このように排出シュート７０の突出を回避することにより、有機物処理装置の前面から投入口６１までの距離が短くなるため、生ごみや微生物担体を投入するときの作業が楽になり、その作業性が改善される。なお、先端部７２を引き出したときには、基部７１と先端部７２とが連続した排出シュートとして構成されるので、処理物が途中で漏れるようなこともない。
【００３９】
また、先端部７２は、外装ケース６内にスライド式に収納する構成としているので、簡易な構造として製作することができる。
【００４０】
また、処理槽１の排気口８１が処理槽１の開口部１ａ近傍の前面側に配置され、更に、排気ガス用フィルタ８２が処理槽１の開口部１ａを通して、排気口８１から着脱可能に設置されているので、排気ガス用フィルタ８２の取付位置が有機物処理装置の前面から近くなり、排気ガス用フィルタ８２清掃のための作業が容易となる。また、生ごみや微生物担体を投入口６１から投入するとき、排気ガス用フィルタ８２がこの投入方向と逆方向の位置、つまり処理槽１上面の開口部１ａ近傍の前面側に位置するため、排気ガス用フィルタ８２を汚すことが少なくなる。この結果、排気ガス用フィルタ８２の清掃頻繁を少なくすることができ、排気ガス用フィルタ８２の清掃作業の能率を向上することができる。
【００４１】
つぎに、本発明の第２の実施の形態について、図４及び図５に基づき説明する。
この実施の形態は、第１の実施の形態における排出シュートを他の形式に変更したものであって、処理槽１の高さが異なる点を除いては、基本的に第１の実施の形態と同様のものである。以下の説明では、第１の実施の形態と相違する排出シュートについてのみ説明する。なお、図４は本実施の形態に係る有機物処理装置の概略断面図であり、排出シュートの先端部を外装ケース内に収納した状態を示し、図５は同じく本実施の形態に係る有機物処理装置の概略断面図であり、排出シュートの先端部を外装ケース内から突出させた状態を示す。また、これら図面において、図１乃至図３に示した第１の実施の形態の有機物処理装置と同一又は対応する部分には同一の符号を付し、その説明を省略する。
【００４２】
本実施の形態における排出シュート９０は、一端が排出口１５に接続される基部９１と、一端が外装ケース６の前面側外部に連通される先端部９２とに分割されている。
【００４３】
基部９１は、従来のものと同一の断面形状（すなわち、左右方向に長い長方形であり、その大きさも同一）を備えたものである。ただし、その長さは、従来のものより短く、その先端が外装ケース６の内側で終了している。
【００４４】
先端部９２は、外装ケース６の前面部に位置する支点９０ａ及び基部９１の先端部に位置する支点９０ｂを中心に回転可能に形成されており、外装ケース６内に収納させた状態（図４の状態）又は外部に突出させた状態（図５の状態）を選択して維持できるように形成されている。
【００４５】
すなわち、先端部９２は、前板部９３と、底板と、底板の左右両端の側板とで断面を角形溝状に形成され、この側板間に基部９１の端部を挟んで受け入れることができるような寸法、形状としたガイド部９４とを有する。そして、支点９０ａを中心として前板部９３を回転可能とし、支点９０ｂを支点としてガイド部９４を回転可能とし、更に、前板部９３とガイド部９４とを、回転ローラ９５及びこの回転ローラ９５をスライドさせるガイド部材からなる相対位置調整機構により連結している。また、この相対位置調整機構にはダンパー９９が用いられており、このダンパー９９の作用により、先端部９２を図４及び図５の位置に保持可能としている。なお、前板部９３の前面には、この先端部９２を回転式に引き出すときに使用するつまみ９７が取り付けられている。
【００４６】
したがって、処理槽１内の処理物を外部に排出しないときは、先端部９２を外装ケース６内側へ折り畳むことにより、図４のように、先端部９２を外装ケース６内に収納することができる。また、処理槽１内の処理物を外部に排出するときは、つまみ９７をつまんで先端部９２を前方側へ回転させて引き伸ばすことにより、図５のように、先端部９２のガイド部９４を基部９１に連続させた状態とし、図５における実線矢印Ｅのように処理物を排出することができる。
【００４７】
以上のように構成された本発明の第２の実施の形態によれば、排出シュート９０を、一端が排出口１５に接続される基部９１と、一端が外部に連通される先端部９２とに分割し、この先端部９２を前記外装ケース６内に収納可能に形成しているので、先端部９２を外装ケース６内に折り畳んで収納している限り、作業上の障害となる排出シュート９０の突出を無くすことができる。
【００４８】
また、このように排出シュート９０の突出を回避することにより、有機物処理装置の前面から投入口６１までの距離が短くなるため、生ごみや微生物担体を投入するときの作業が楽になり、その作業性が改善される。なお、先端部９２を引き伸ばして突出させたときには、基部９１と先端部９２とが連続した排出シュートとして構成されるので、処理物が途中で漏れるようなこともない。
【００４９】
また、先端部９２は、外装ケース６内に折畳み式に収納する構成としているので、簡易な構造として製作することができる。
【００５０】
つぎに、本発明の第３の実施の形態について、図６乃至図１０に基づき説明する。この実施の形態は、第２の実施の形態における排出シュートを他の形式に変更したものである。以下の説明では、第２の実施の形態と相違する排出シュートについてのみ説明する。なお、図６は本実施の形態に係る有機物処理の排出シュートの先端部を外装ケース内に収納した状態を示し、図７は本実施の形態に係る有機物処理の排出シュートの先端部を外装ケース内から突出させた状態を示す。図８は本実施の形態に係る有機物処理の排出口を排出シャッタで閉塞した状態を示し、図９は本実施の形態に係る有機物処理の排出口を開放した状態を示す。図１０は本実施の形態に係る有機物処理の排出シュート周辺の状態を示す。
【００５１】
図４及び図５に示した第２の実施の形態の有機物処理装置と同一又は対応する部分には同一の符号を付し、その説明を省略する。
【００５２】
本実施の形態における排出シュート１００は、一端が排出口１５に接続される基部１０１と、一端が外装ケース６の前面側外部に連通される断面形状が上方を開放した略コ字状の先端部１０２とに分割されている。
【００５３】
基部１０１は、従来のものと同一の断面形状（すなわち、左右方向に長い長方形であり、その大きさも同一）を備えたものである。ただし、その長さは、従来のものより短く、その先端が外装ケース６の内側で終了している。
【００５４】
先端部１０２は、支点１０３を中心に回転可能に形成されており、外装ケース６内に収納させた状態（図６の状態）又は外部に突出させた状態（図７の状態）を選択して維持できるように形成されている。１０４は基部１０１に設けられた係止部材、１０５は先端部１０２に設けられた係合部材で、係合部材１０５を係止部材１０４に係合させることにより、先端部１０２が外装ケース６内に収納させた状態を維持できるようになっている。
【００５５】
従って、処理槽１内の処理物を外部に排出しないときは、先端部１０２を上方に回動させて外装ケース６内側へ折り畳み基部１０１に保持することにより、図６のように、先端部１０２を外装ケース６内に収納することができる。また、処理槽１内の処理物を外部に排出するときは、先端部１０２を下方へ回転させて引き伸ばすことにより、図７のように、先端部１０２を基部１０１に連通させた状態として処理物を排出することができる。
【００５６】
以上のように構成された本発明の第３の実施の形態によれば、先端部１０２を外装ケース６内に折り畳んで収納している限り、作業上の障害となる排出シュート１００の突出を無くすことができる。
【００５７】
また、このように排出シュート１００の突出を回避することにより、有機物処理装置の前面から投入口６１までの距離が短くなるため、生ごみや微生物担体を投入するときの作業が楽になり、その作業性が改善される。なお、先端部１０２を回動させて突出させたときには、基部１０１と先端部１０２とが連続した排出シュートとして構成されるので、処理物が途中で漏れるようなこともない。
【００５８】
また、先端部１０２は、外装ケース６内に折畳み式に収納する構成としているので、簡易な構造として製作することができる。さらに、先端部１０２の上方は開放されているため、処理物の排出状態を容易に目視することができると共に、処理物が詰った状態になっても容易にメンテナンスすることができる。
【００５９】
また、本実施の形態においては排出口１５を開閉自在に閉塞する排出シャッタ１７を固定する固定ピン１０６に、排出シャッタ１７を固定した状態を表示する表示手段１０７を設けた構成になっている。
【００６０】
排出口１５を排出シャッタ１７が閉塞した状態では、排出シャッタ１７に形成された貫通孔１０８に固定ピン１０６が貫通し、排出シャッタ１７が開放した状態では、排出シャッタ１７に形成された擂鉢状の凹所１０９に固定ピン１０６が当接するようになっている。また、固定ピン１０６はバネ１１０により排出シャッタ１７側に付勢されるようになっている。
【００６１】
図８は排出口１５を排出シャッタ１７で閉塞した状態を示す。この状態では貫通孔１０８に固定ピン１０６が挿入された状態になっているため、固定ピン１０６を手前に引いて開閉レバー１８を操作しない限り、排出口１５を開放することができず、有機物処理運転中に排出口１５が誤って開放することはない。また、この状態では、表示手段１０７はプレート１１１に当接しているため、排出口１５の閉塞状態を容易に目視により確認できるようになっている。
【００６２】
図９は排出口１５を開放した状態を示す。この状態では擂鉢状の凹所１０９に固定ピン１０６が係止した状態になっているため、固定ピン１０が手前に移動し、
表示手段１０７はプレート１１１から離れるため、排出口１５の開放状態を容易に目視により確認できるようになっている。
【００６３】
また、固定ピン１０６は擂鉢状の凹所１０９に係止しているだけなので、固定ピン開閉１０６を手前に引くことなく、開閉レバー１８を操作するだけで係止状態を解除することができるため、排出口１５の閉塞作業を容易に行えることができるようになっている。
【００６４】
尚、本発明の第１の実施の形態乃至第３の実施の形態においては、処理槽１内の収納物を外装ケース６外に排出する排出シュートを外装ケース６の長手方向に設けたが、図１４に示す如く、排出シュートを外装ケースの短手方向に設けた構成にしても第１の実施の形態乃至第３の実施の形態と同様な作用効果を奏する。
【００６５】
【発明の効果】
本発明の請求項１の構成によると、排出シュートを、一端が前記排出口連通される基部と一端が外装ケース外に露出する先端部とに分割し、この先端部を外装ケース内に収納可能に形成しているので、外装ケース周辺での作業において、従来障害となっていた突起部をなくすことができる。また、この突出部分をなくすことにより、有機物処理装置の前面から投入口までの距離が短くなり、生ごみや微生物担体を投入するときの作業性を改善することができる等の効果を奏する。しかも、排出シュートの先端部を外装ケースに対しスライド式収納可能としているため、簡易な構造で外装ケース内に収納可能とすることができる等の効果を奏する。
【００６８】
本発明の請求項２の構成によると、シャッタにより確実に排出口を閉塞することができると共に、排出口の閉塞状態を容易に目視確認できる等の効果を奏する。
【図面の簡単な説明】
【図１】第１の実施の形態に係る有機物処理装置の概略側断面図であり、排出シュートの先端部を外装ケース内に収納した状態を示す。
【図２】第１の実施の形態に係る有機物処理装置の概略側断面図であり、排出シュートの先端部を外装ケースから外部に突出させた状態を示す。
【図３】第１の実施の形態に係る有機物処理装置の排気用フィルタ部分の拡大図であり、排気用フィルタ着脱時の状態で示している。
【図４】第２の実施の形態に係る有機物処理装置の概略断面図であり、排出シュートの先端部を外装ケース内に収納した状態を示す。
【図５】第２の実施の形態に係る有機物処理装置の概略側断面図であり、排出シュートの先端部を外装ケースから外部に突出させた状態を示す。
【図６】第３の実施の形態に係る有機物処理装置の概略側断面図であり、排出シュートの先端部を外装ケース内に収納した状態を示す。
【図７】第３の実施の形態に係る有機物処理装置の概略側断面図であり、排出シュートの先端部を外装ケースから外部に突出させた状態を示す。
【図８】第３の実施の形態に係る有機物処理装置の概略側断面図であり、排出口を排出シャッタで閉塞した状態を示す。
【図９】第３の実施の形態に係る有機物処理装置の概略側断面図であり、排出口を開放した状態を示す。
【図１０】第３の実施の形態に係る有機物処理装置の要部斜視図。
【図１１】従来の有機物処理装置の基本的システム図である。
【図１２】従来の有機物処理装置の処理槽周りの構成を説明するための側断面図である。
【図１３】従来の有機物処理装置の処理槽周りの構成を説明するための平面図である。
【図１４】排出シュートを外装ケースの短手方向に設けた有機物処理装置を示す図である。
【符号の説明】
１     処理槽
１ａ   開口部
２     処理槽
３     脱臭器
６     外装ケース
１５   排出口
１７   排出シャッタ
２５   排気口
２６   排気ガス用フィルタ
６１   投入口
７０   排出シュート
７１   基部
７２   先端部
８１   排気口
８２   排気ガス用フィルタ
９０   排出シュート
９１   基部
９２   先端部
【図１】
0003983078.tif 000002
【図２】
0003983078.tif 000003
【図３】
0003983078.tif 000004
【図４】
0003983078.tif 000005
【図５】
0003983078.tif 000006
【図６】
0003983078.tif 000007
【図７】
0003983078.tif 000008
【図８】
0003983078.tif 000009
【図９】
0003983078.tif 000010
【図１０】
0003983078.tif 000011
【図１１】
0003983078.tif 000012
【図１２】
0003983078.tif 000013
【図１３】
0003983078.tif 000014
【図１４】
0003983078.tif 000015